【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
無線セルで使用されているフレーム構造で規定された少なくとも１つの共通制御チャネルで、ページングメッセージを送信するステップと、
前記フレーム構造で規定された専用チャネルでマルチメディア・ブロードキャスト／マルチキャスト・サービスのためのデータを送信するステップと、を具備する方法であって、
前記専用チャネルは、前記無線セルに配置された移動体端末装置が前記ページングメッセージと前記マルチメディア・ブロードキャスト／マルチキャスト・サービスのためのデータとを同時に受信できるように割り当てられている、方法。
【請求項２】
前記フレーム構造において、個々のフレームが複数のタイムスロットから構成され、
前記専用チャネルは、ページングメッセージを含む前記共通制御チャネル用として、前記無線セルで使用されているタイムスロットに少なくとも割り当てられ、
前記専用チャネルは、ページングメッセージを含む前記共通制御チャネル用として、前記無線セルで使用されているキャリアに配置される、請求項１に記載の方法。
【請求項３】
前記フレーム構造において、個々のフレームが複数のタイムスロットから構成され、
前記専用チャネルが、ページングメッセージを含む前記共通制御チャネル用として、並びに、前記無線セルで使用されているブロードキャスト制御チャネル用として、前記無線セルで使用されているタイムスロットに少なくとも割り当てられ、
前記専用チャネルが、ページングメッセージを含む前記共通制御チャネル用として、並びに、前記ブロードキャスト制御チャネル用として、前記無線セルで使用されているキャリアに配置される、請求項１に記載の方法。
【請求項４】
前記フレーム構造において、個々のフレームが複数のタイムスロットから構成され、
前記専用チャネルが、ページングメッセージを含む前記共通制御チャネル用として、前記無線セルで使用されているタイムスロットに少なくとも割り当てられ、
前記専用チャネルが、ページングメッセージを含む前記共通制御チャネル用として、前記無線セルで使用されているのと同じ周波数ホッピングパラメータを持つチャネルに配置される、請求項１に記載の方法。
【請求項５】
前記フレーム構造において、個々のフレームが複数のタイムスロットから構成され、
前記専用チャネルが、ページングメッセージを含む前記共通制御チャネル用として、並びに、前記無線セルで使用されているブロードキャスト制御チャネル用として、前記無線セルで使用されているタイムスロットに対して少なくとも割り当てられ、
前記専用チャネルは、ページングメッセージを含む前記共通制御チャネル用として、並びに、前記ブロードキャスト制御チャネル用として、前記無線セルで使用されているのと同じ周波数ホッピングパラメータを持つチャネルに配置される、請求項１に記載の方法。
【請求項６】
前記専用チャネルは、ページングメッセージを含む前記共通制御チャネル用として、前記無線セルで使用されているキャリアに配置し、
前記フレーム構造において、個々のフレームは複数のタイムスロットから構成され、
ページングメッセージの送信用として使用されている前記共通制御チャネルと関連するタイムスロットと、前記専用チャネルと関連するタイムスロットと、を含む一連の連続するタイムスロット内のタイムスロットの個数が、前記無線アクセスネットワークからのダウンリンク送信用の前記移動体端末装置がサポートしている受信対象タイムスロットの個数以下である、請求項１に記載の方法。
【請求項７】
前記フレーム構造において、個々のフレームが複数のタイムスロットから構成され、
前記専用チャネルは、ページングメッセージを含む前記共通制御チャネル用として、前記無線セルで使用されているタイムスロットに隣接するタイムスロットに対して少なくとも割り当てる、請求項１に記載の方法。
【請求項８】
前記フレーム構造において、個々のフレームが複数のタイムスロットから構成され、
前記無線セルで使用されている前記専用チャネルとすべての共通制御チャネルとを隣接タイムスロットに割り当てる、請求項１に記載の方法。
【請求項９】
前記フレーム構造において、個々のフレームが複数のタイムスロットから構成され、
前記無線セルにおいて共通制御チャネルと、前記専用マルチメディア・ブロードキャスト／マルチキャスト・サービス・チャネルとが割り当てられるタイムスロットの個数は、前記無線アクセスネットワークから前記移動体端末装置へのダウンリンク送信を受信するための前記セル内の移動体端末装置がサポートしているタイムスロットの個数以下である、請求項１に記載の方法。
【請求項１０】
前記フレーム構造において、個々のフレームが複数のタイムスロットから構成され、
前記無線セルで使用されているブロードキャスト制御チャネルは、ページングメッセージを含む前記共通制御チャネルとは異なるタイムスロットに割り当て、
前記ブロードキャスト制御チャネルと、ページングメッセージを含む前記共通制御チャネルと、前記専用チャネルとは、隣接タイムスロットに割り当てる、請求項１に記載の方法。
【請求項１１】
前記フレーム構造において、個々のフレームが複数のタイムスロットから構成され、
前記無線セルで使用されるブロードキャスト制御チャネルはさらに、ページングメッセージを含む前記共通制御チャネルが割り当てられる前記タイムスロットに対して割り当てる、請求項１に記載の方法。
【請求項１２】
前記フレーム構造において、個々のフレームが複数のタイムスロットから構成され、
前記セルで使用されるブロードキャスト制御チャネルは、ページングメッセージを含む前記共通制御チャネルとは異なるタイムスロットに対して割り当てる、請求項１に記載の方法。
【請求項１３】
前記フレーム構造において、個々のフレームが複数のタイムスロットから構成され、
前記専用チャネルはさらに、前記無線セルで共通制御チャネルが割り当てられる少なくとも１つのタイムスロットに対して、前記少なくとも１つのタイムスロットが前記共通制御チャネル用に必要ではない期間、割り当てる、請求項１に記載の方法。
【請求項１４】
前記専用チャネルは、ページングメッセージを含む前記共通制御チャネル用として、前記無線セルで使用されているのと同じ周波数ホッピングパラメータを持つチャネルに配置し、
前記フレーム構造において、複数のタイムスロットから個々のフレームが構成され、
ページングメッセージの送信用として使用されている前記共通制御チャネルと関連するタイムスロットと、前記専用チャネルと関連するタイムスロットと、を含む一連の連続するタイムスロット内のタイムスロットの個数が、前記無線アクセスネットワークからのダウンリンク送信用の前記移動体端末装置がサポートしている受信対象タイムスロットの個数以下である、請求項１に記載の方法。
【請求項１５】
前記フレーム構造において、所定数のフレームが個々のブロックを構成し、
前記マルチメディア・ブロードキャスト／マルチキャスト・サービス・データは、ページングメッセージが前記共通制御チャネルで送信されるブロックとは異なるブロックで、前記専用チャネルによって送信する、請求項１に記載の方法。
【請求項１６】
前記専用チャネルで送信するマルチメディア・ブロードキャスト／マルチキャスト・サービス・データは、前記無線セルでの送信中の紛失を許容し、前記専用チャネルでの前記マルチメディア・ブロードキャスト／マルチキャスト・サービス・データの送信の反復中に、前記移動体端末装置によって後の受信を可能にする、請求項１に記載の方法。
【請求項１７】
前記ページングメッセージはさらに、前記専用チャネルで送信する、請求項１に記載の方法。
【請求項１８】
前記共通制御チャネルでページングメッセージを送信する場合、ページングメッセージを送信する旨の情報をさらに前記専用チャネルで送信する、請求項１に記載の方法。
【請求項１９】
無線インタフェースを介して共通制御チャネルでページングメッセージを送信し、専用チャネルでマルチメディア・ブロードキャスト／マルチキャスト・サービス用データを前記無線インタフェースを介して送信する手段を備え、
前記ページングメッセージと前記マルチメディア・ブロードキャスト／マルチキャスト・サービス・データとは、ネットワークエンティティが供給する無線セルに配置された、マルチメディア・ブロードキャスト／マルチキャスト・サービス・データを受信可能な移動端末装置が該データを同時に受信できるように、送信される、装置。
【請求項２０】
共通制御チャネルで無線アクセスネットワークが送信するページングメッセージと、専用チャネルでセルラ通信ネットワークの無線アクセスネットワークが送信するマルチメディア・ブロードキャスト／マルチキャスト・サービス用データと、を、無線インタフェースを介して同時に受信する手段を備えた、装置。
【請求項２１】
無線インタフェースを介して共通制御チャネルでページングメッセージを送信し、専用チャネルでマルチメディア・ブロードキャスト／マルチキャスト・サービス用のデータを前記無線インタフェースを介して送信する手段を備えたセルラ通信ネットワークのネットワークエンティティであって、前記ページングメッセージと前記マルチメディア・ブロードキャスト／マルチキャスト・サービス・データとは、前記ネットワークエンティティが供給する無線セルに配置された、マルチメディア・ブロードキャスト／マルチキャスト・サービス・データを受信可能な移動端末装置が同時に受信できるように、送信されるネットワークエンティティと、
共通制御チャネルで前記無線アクセスネットワークが送信するページングメッセージと、専用チャネルで無線アクセスネットワークが送信するマルチメディア・ブロードキャスト／マルチキャスト・サービス用データと、を無線インタフェースを介して同時に受信する手段を備えた前記移動体端末装置と、
を備えた、通信システム。
【請求項２２】
前記フレーム構造において、個々のフレームが複数のタイムスロットから構成され、
前記送信する手段は、前記専用チャネルを、ページングメッセージを含む前記共通制御チャネル用として、前記無線セルで使用されているタイムスロットに少なくとも割り当て、前記専用チャネルを、ページングメッセージを含む前記共通制御チャネル用として、前記無線セルで使用されているキャリアに配置するように構成される、請求項１９に記載の装置。
【請求項２３】
前記フレーム構造において、個々のフレームが複数のタイムスロットから構成され、
前記送信する手段は、前記専用チャネルを、ページングメッセージを含む前記共通制御チャネル用として、並びに、前記無線セルで使用されているブロードキャスト制御チャネル用として、前記無線セルで使用されているタイムスロットに少なくとも割り当て、前記専用チャネルを、ページングメッセージを含む前記共通制御チャネル用として、並びに、前記ブロードキャスト制御チャネル用として、前記無線セルで使用されているキャリアに配置するように構成される、請求項１９に記載の装置。
【請求項２４】
前記フレーム構造において、個々のフレームが複数のタイムスロットから構成され、
前記送信する手段は、前記専用チャネルを、ページングメッセージを含む前記共通制御チャネル用として、前記無線セルで使用されているタイムスロットに少なくとも割り当て、前記専用チャネルを、ページングメッセージを含む前記共通制御チャネル用として、前記無線セルで使用されているのと同じ周波数ホッピングパラメータを持つチャネルに配置するように構成される、請求項１９に記載の装置。
【請求項２５】
前記フレーム構造において、個々のフレームが複数のタイムスロットから構成され、
前記送信する手段は、前記専用チャネルを、ページングメッセージを含む前記共通制御チャネル用として、並びに、前記無線セルで使用されているブロードキャスト制御チャネル用として、前記無線セルで使用されているタイムスロットに少なくとも割り当て、前記専用チャネルを、ページングメッセージを含む前記共通制御チャネル用として、並びに、前記ブロードキャスト制御チャネル用として、前記無線セルで使用されているのと同じ周波数ホッピングパラメータを持つチャネルに配置するように構成される、請求項１９に記載の装置。
【請求項２６】
前記専用チャネルは、ページングメッセージを含む前記共通制御チャネル用として、前記無線セルで使用されているキャリアに配置され、
前記フレーム構造において、個々のフレームが複数のタイムスロットから構成され、
ページングメッセージの送信用として使用されている前記共通制御チャネルと関連するタイムスロットと、前記専用チャネルと関連するタイムスロットと、を含む一連の連続するタイムスロット内のタイムスロットの個数が、前記無線アクセスネットワークからのダウンリンク送信用の前記移動体端末装置がサポートしている受信対象タイムスロットの個数以下である、請求項１９に記載の装置。
【請求項２７】
前記フレーム構造において、個々のフレームが複数のタイムスロットから構成され、
前記送信する手段は、前記専用チャネルを、ページングメッセージを含む前記共通制御チャネル用として、前記無線セルで使用されているタイムスロットに隣接するタイムスロットに少なくとも割り当てるように構成される、請求項１９に記載の装置。
【請求項２８】
前記フレーム構造において、個々のフレームが複数のタイムスロットから構成され、
前記送信する手段は、前記無線セルで使用されている前記専用チャネルとすべての共通制御チャネルとを隣接タイムスロットに割り当てるように構成される、請求項１９に記載の装置。
【請求項２９】
前記フレーム構造において、個々のフレームが複数のタイムスロットから構成され、
前記無線セルにおいて共通制御チャネルと前記専用マルチメディア・ブロードキャスト／マルチキャスト・サービス・チャネルとが割り当てられるタイムスロットの個数は、前記無線アクセスネットワークから前記移動端末装置へのダウンリンク送信を受信するための前記セル内の前記移動端末装置がサポートしているタイムスロットの個数以下である、請求項１９に記載の装置。
【請求項３０】
前記フレーム構造において、個々のフレームが複数のタイムスロットから構成され、
前記送信する手段は、前記無線セルで使用されているブロードキャスト制御チャネルを、ページングメッセージを含む前記共通制御チャネルとは異なるタイムスロットに割り当て、前記ブロードキャスト制御チャネルとページングメッセージを含む前記共通制御チャネルと前記専用チャネルとを隣接タイムスロットに割り当てるように構成される、請求項１９に記載の装置。
【請求項３１】
前記フレーム構造において、個々のフレームが複数のタイムスロットから構成され、
前記送信する手段は、前記無線セルで使用されるブロードキャスト制御チャネルをさらに、ページングメッセージを含む前記共通制御チャネルが割り当てられる前記タイムスロットに対して割り当てるように構成される、請求項１９に記載の装置。
【請求項３２】
前記フレーム構造において、個々のフレームが複数のタイムスロットから構成され、
前記送信する手段は、前記セルで使用されるブロードキャスト制御チャネルを、ページングメッセージを含む前記共通制御チャネルとは異なるタイムスロットに対して割り当てるように構成される、請求項１９に記載の装置。
【請求項３３】
前記フレーム構造において、個々のフレームが複数のタイムスロットから構成され、
前記送信する手段は、前記専用チャネルをさらに、前記無線セルで共通制御チャネルが割り当てられる少なくとも１つのタイムスロットに対して、前記少なくとも１つのタイムスロットが前記共通制御チャネル用に必要ではない期間、割り当てるように構成される、請求項１９に記載の装置。
【請求項３４】
前記送信する手段は、前記専用チャネルを、ページングメッセージを含む前記共通制御チャネル用として、前記無線セルで使用されているのと同じ周波数ホッピングパラメータを持つチャネルに配置するように構成され、
前記フレーム構造において、個々のフレームが複数のタイムスロットから構成され、
ページングメッセージの送信用として使用されている前記共通制御チャネルと関連するタイムスロットと、前記専用チャネルと関連するタイムスロットと、を含む一連の連続するタイムスロット内のタイムスロットの個数が、前記無線アクセスネットワークからのダウンリンク送信用の前記移動体端末装置がサポートしている受信対象タイムスロットの個数以下である、請求項１９に記載の装置。
【請求項３５】
前記フレーム構造において、所定数のフレームが個々のブロックを構成し、
前記送信する手段は、前記マルチメディア・ブロードキャスト／マルチキャスト・サービス・データを、ページングメッセージが前記共通制御チャネルで送信されるブロックとは異なるブロックで、前記専用チャネルによって送信するように構成される、請求項１９に記載の装置。
【請求項３６】
前記専用チャネルで送信するマルチメディア・ブロードキャスト／マルチキャスト・サービス・データは、前記無線セルでの送信中の紛失を許容し、前記専用チャネルでの前記マルチメディア・ブロードキャスト／マルチキャスト・サービス・データの送信の反復中に、前記移動体端末装置によって後の受信を可能にする、請求項１９に記載の装置。
【請求項３７】
前記送信する手段は、前記ページングメッセージをさらに、前記専用チャネルで送信するように構成される、請求項１９に記載の装置。
【請求項３８】
前記送信する手段は、前記共通制御チャネルでページングメッセージを送信する場合、ページングメッセージを送信する旨の情報をさらに前記専用チャネルで送信するように構成される、請求項１９に記載の装置。
【請求項３９】
前記フレーム構造において、個々のフレームが複数のタイムスロットから構成され、
前記受信する手段は、前記無線アクセスネットワークからのダウンリンク送信の受信を少なくとも３つのタイムスロットでサポートし、前記ブロードキャスト制御チャネルとページングメッセージを含む前記共通制御チャネルと前記専用チャネルとが割り当てられた少なくとも３つの隣接タイムスロットをモニタするように構成される、請求項２０に記載の装置。
【請求項４０】
前記フレーム構造において、個々のフレームが複数のタイムスロットから構成され、
前記受信する手段は、ページングメッセージを含む前記共通制御チャネルと前記専用チャネルとが割り当てられる２つの隣接タイムスロットをモニタするように構成される、請求項２０に記載の装置。
【請求項４１】
前記フレーム構造において、個々のフレームが複数のタイムスロットから構成され、
前記受信する手段は、ページングメッセージを含む前記共通制御チャネルと前記専用チャネルとが割り当てられた、少なくとも２つの隣接タイムスロットを通常モニタし、ページングメッセージを含む前記共通制御チャネルとブロードキャスト制御チャネルとが割り当てられたタイムスロットを、所定の短期間代わりに少なくともモニタするように構成される、請求項２０に記載の装置。
【請求項４２】
前記専用チャネルで送信するマルチメディア・ブロードキャスト／マルチキャスト・サービス・データは、前記無線セルでの送信中の紛失を許容し、前記専用チャネルでの前記マルチメディア・ブロードキャスト／マルチキャスト・サービス・データの送信の反復中に、前記受信する手段によって後の受信を可能にする、請求項２０に記載の装置。
【請求項４３】
共通制御チャネルで無線アクセスネットワークが送信するページングメッセージと、専用チャネルでセルラ通信ネットワークの無線アクセスネットワークが送信するマルチメディア・ブロードキャスト／マルチキャスト・サービス用データと、を無線インタフェースを介して同時に受信するステップを備える、方法。
【請求項４４】
前記フレーム構造において、個々のフレームが複数のタイムスロットから構成され、
前記無線アクセスネットワークからのダウンリンク送信の受信を少なくとも３つのタイムスロットでサポートするステップと、
ブロードキャスト制御チャネルとページングメッセージを含む前記共通制御チャネルと前記専用チャネルとが割り当てられた少なくとも３つの隣接タイムスロットとをモニタするステップと、をさらに備える、請求項４３に記載の方法。
【請求項４５】
前記フレーム構造において、個々のフレームが複数のタイムスロットから構成され、
ページングメッセージを含む前記共通制御チャネルと前記専用チャネルとが割り当てられる２つの隣接タイムスロットをモニタするステップをさらに備える、請求項４３に記載の方法。
【請求項４６】
前記フレーム構造において、個々のフレームが複数のタイムスロットから構成され、
ページングメッセージを含む前記共通制御チャネルと前記専用チャネルとが割り当てられた、少なくとも２つの隣接タイムスロットを通常モニタするステップと、
ページングメッセージを含む前記共通制御チャネルと前記ブロードキャスト制御チャネルとが割り当てられたタイムスロットを、所定の短期間代わりに少なくともモニタするステップと、をさらに備える、請求項４３に記載の方法。
【請求項４７】
前記専用チャネルで送信するマルチメディア・ブロードキャスト／マルチキャスト・サービス・データは、前記無線セルでの送信中の紛失を許容し、前記専用チャネルでの前記マルチメディア・ブロードキャスト／マルチキャスト・サービス・データの送信の反復中に、受信する手段によって後の受信を可能にする、請求項４３に記載の方法。
【請求項４８】
前記装置は、ネットワーク構成要素である、請求項１９に記載の装置。
【請求項４９】
請求項１９に記載の装置を備える、ネットワークエンティティ。
【請求項５０】
前記装置は、移動端末装置である、請求項２０に記載の方法。